(57)【要約】【課題】多種類のパネル用枠体Ａを共用することができるメッシュパネル４の取付構造。【解決手段】複数の平行な金属製の縦線１１と横線１２とを格子状に組んで固定したメッシュパネル４の四周を上下部アタッチメント１３ａ、１３ｂと左右の側部アタッチメント１３ｃを介して上下枠１、２と左右の縦枠３に取り付けた門扉又はフェンスであって、上記上下部アタッチメント１３ａ、１３ｂと左右の縦アタッチメント１３とを上記上下枠１、２と左右の縦枠３の内側に形成した嵌合溝６に嵌合させるとともに、上記上下部アタッチメント１３ａ、１３ｂには、上記メッシュパネル４の縦線１１の端部側面に当接する突条１６を形成し、上記側部アタッチメント１３ｃには、上記メッシュパネル４の横線１２の端部と嵌合する取付溝２１を形成した。【選択図】図２
2011021380.tif 000002
【特許請求の範囲】
【請求項１】
複数の平行な金属製の縦線と横線とを格子状に組んで固定したメッシュパネルの四周を上下部アタッチメントと左右の側部アタッチメントを介して上下枠と左右の縦枠に取り付けた門扉又はフェンスであって、上記上下部アタッチメントと左右の縦アタッチメントとを上記上下枠と左右の縦枠の内側に形成した嵌合溝に嵌合させるとともに、上記上下部アタッチメントには、上記メッシュパネルの縦線の端部側面に当接する突条を形成し、上記側部アタッチメントには、上記メッシュパネルの横線の端部と嵌合する取付溝を形成したことを特徴とする門扉又はフェンス。
【請求項２】
複数の平行な金属製の縦線と横線とを格子状に組んで固定したメッシュパネルの四周を上下部アタッチメントと左右の側部アタッチメントを介して上下枠と左右の縦枠に取り付けた門扉又はフェンスであって、上記上下部アタッチメントと左右の縦アタッチメントとを上記上下枠と左右の縦枠の内側に形成した嵌合溝に嵌合させるとともに、上記上下部アタッチメントには、上記メッシュパネルの縦線の端部と嵌合する取付溝を形成し、上記側部アタッチメントには、上記メッシュパネルの横線の端部側面に当接する突条を形成し、かつ上記突条に横線を固着したことを特徴とする門扉又はフェンス。
【請求項３】
上記上下部アタッチメントの端部と左右の縦アタッチメントの端部とは固定手段によって固定されていることを特徴とする、請求項１又は２に記載の門扉又はフェンス。
【請求項４】
上記突条と取付溝とは上記枠体の内周方向に連続していることを特徴とする、請求項１〜３のいずれかに記載の門扉又はフェンス。
【発明の詳細な説明】
【技術分野】
【０００１】
本発明は、特にメッシュパネルを用いた門扉又はフェンスに関する。
【背景技術】
【０００２】
一般に、門扉に複数の平行な縦線と横線とを格子状に組んで固定したメッシュパネルを門扉を構成する枠体に取り付けるときは、枠体の上枠と下枠の各下面と上面の全面に突条を形成し、これらの上下の突条にメッシュパネルの上下端部の一側を当接し、当接部を溶着していた（特許文献１参照）。
【０００３】
このように、上枠の下面と下枠の上面に突条を形成する構成の枠体に板状パネルを取り付けようとしても、突条が障害となって取り付けることはできない。したがって、上述の枠体はメッシュパネル専用とならざるを得なかった。
【０００４】
また、上下枠にメッシュパネルを保持させる溶接桟を取り付けるものも知られている（特許文献２参照）。これは上下枠も溶接桟もメッシュパネル専用のものとして構成されている。
【先行技術文献】
【特許文献】
【０００５】
【特許文献１】特開２００５−６８８４６号公報
【特許文献２】実開平１−９６９９９号公報
【発明の概要】
【発明が解決しようとする課題】
【０００６】
しかしながら、門扉を構成する枠体の内側に設けられるパネルは、メッシュパネルに限定されない。板状パネルや鋳物パネル等もある。したがって、枠体をいずれかのパネルの専用枠とするよりも多くの種類のパネル用枠体を共用できるようにすることができるのが望ましい。
【０００７】
本発明は上記問題点を解消し、多種類のパネル用枠体を共用することができるメッシュパネルの取付構造を提供することをその課題とする。
【課題を解決するための手段】
【０００８】
上記課題を解決するため、請求項１に係る発明は、複数の平行な金属製の縦線と横線とを格子状に組んで固定したメッシュパネルの四周を上下部アタッチメントと左右の側部アタッチメントを介して上下枠と左右の縦枠に取り付けた門扉又はフェンスであって、上記上下部アタッチメントと左右の縦アタッチメントとを上記上下枠と左右の縦枠の内側に形成した嵌合溝に嵌合させるとともに、上記上下部アタッチメントには、上記メッシュパネルの縦線の端部側面に当接する突条を形成し、上記側部アタッチメントには、上記メッシュパネルの横線の端部と嵌合する取付溝を形成したことを特徴とする。
【０００９】
請求項２に係る発明は、複数の平行な金属製の縦線と横線とを格子状に組んで固定したメッシュパネルの四周を上下部アタッチメントと左右の側部アタッチメントを介して上下枠と左右の縦枠に取り付けた門扉又はフェンスであって、上記上下部アタッチメントと左右の縦アタッチメントとを上記上下枠と左右の縦枠の内側に形成した嵌合溝に嵌合させるとともに、上記上下部アタッチメントには、上記メッシュパネルの縦線の端部と嵌合する取付溝を形成し、上記側部アタッチメントには、上記メッシュパネルの横線の端部側面に当接する突条を形成し、かつ上記突条に横線を固着したことを特徴とする。
【００１０】
請求項３に係る発明は、請求項１又は２において、上記上下部アタッチメントの端部と左右の縦アタッチメントの端部とは固定手段によって固定されていることを特徴とする。
【００１１】
請求項４に係る発明は、請求項１〜３のいずれかにおいて、上記突条と取付溝とは上記枠体の内周方向に連続していることを特徴とする。
【発明の効果】
【００１２】
請求項１に係る発明によれば、メッシュパネルの四周を上下部アタッチメントと左右の側部アタッチメントで包囲し、上下部アタッチメントには、上記メッシュパネルの縦線の端部側面に当接する突条を形成し、上記側部アタッチメントには、上記メッシュパネルの横線の端部と嵌合する取付溝を形成したので、アタッチメントの内周側にはメッシュパネルを取り付けるための構造を採用し、アタッチメントの外周側を枠体の嵌合溝に取り付ける構造を採用することができる。
【００１３】
したがって、アタッチメントの内周側をパネルの種類に応じた構造とし、外周側は共通の枠体に取り付ける構造とすることができるから、一つの種類のパネルを取り付けたのと同じ枠体に他の種類のパネルを取り付ける場合、アタッチメントを代えるだけでよく、枠体は共用することができる。
【００１４】
メッシュパネルは上下左右両側ともにアタッチメントで包囲されているので、枠体内で変形しにくい。
【００１５】
請求項２に係る発明によれば、メッシュパネルの四周を上下部アタッチメントと左右の側部アタッチメントで包囲し、上下部アタッチメントには、メッシュパネルの縦線の端部と嵌合する取付溝を形成し、上記側部アタッチメントには、上記メッシュパネルの横線の端部側面に当接する突条を形成し、かつ上記突条に横線を固着したので、請求項１に係る発明による効果と同様の効果を得ることができる。
【００１６】
請求項３に係る発明によれば、上下部アタッチメントの端部と左右の縦アタッチメントの端部とは固定手段によって固定されているので、アタッチメントとメッシュパネルとの取付強度が大きくなり、メッシュパネルは安定して枠体内に支持される。
【００１７】
請求項４に係る発明によれば、突条と取付溝とは枠体の内周方向に連続しているので、上下部アタッチメントと側部アタッチメントとを方形に組むときに突条を取付溝に嵌合させることができ、組付け強度が安定するとともに、組付け時に突条を切断する必要がないから作業を容易かつ迅速に行うことができる。
【図面の簡単な説明】
【００１８】
【図１】本発明に係る門扉の正面図
【図２】図１の上部の一部の縦断面図
【図３】図１の側部の一部の横断面図
【図４】上記門扉のコーナー部の拡大正面図
【図５】上記コーナー部の斜視図
【図６】共通の枠体に平板パネルを取り付けた形態の正面図
【図７】図６の上部の一部の縦断面図
【図８】図６の側部の一部の横断面図
【図９】共通の枠体に格子パネルを取り付けた形態の正面図
【図１０】図９の上部の一部の縦断面図
【図１１】図９の側部の一部の横断面図
【発明を実施するための形態】
【００１９】
図１は本発明に係る門扉の正面図である。門扉は上枠１と下枠２と左右の縦枠３とを方形に枠組みしてなる枠体Ａの内側にメッシュパネル４を設けたものである。
【００２０】
枠体Ａの上枠１は、図２に示されるように、方形の中空部５の下部に下方に開口する嵌合溝６を形成したもので、嵌合溝６の両側壁７の内側には互いに対向する突片８が形成されている。図示しないが、下枠２も同様である。縦枠３は、図３に示されるように、方形の中空部５の内側（枠体Ａの内側）に内方に開口する嵌合溝６を形成したもので、嵌合溝６の両側壁７の内側には互いに対向する突片８が形成されている。この突片８の開口側にも短い突片９が形成されている。
【００２１】
メッシュパネル４は複数の平行な金属製の縦線１１と横線１２とを格子状に組みしたもので、縦線１１と横線１２の交差部は溶着固定されている。縦線１１と横線１２は丸棒状に形成されている。なお、メッシュパネル４の取り付け上、縦線１１の上下端又はその近傍に横線１２が配置されないようにする。同様に、横線１２の端部又はその近傍に縦線１１が配置されないようにする。
【００２２】
ところで、メッシュパネル４は直接に枠体Ａに取り付けられているわけではない。アタッチメントを介して枠体Ａに取り付けられている。すなわち、図２〜図４に示されるように、アタッチメント１３は上下部アタッチメント１３ａ、１３ｂと左右の側部アタッチメント１３ｃとを方形に組んだもので、メッシュパネル４の四周はアタッチメント１３によって包囲されている。
【００２３】
上部アタッチメント１３ａは、ベース板１５の内側の中央に突条１６を突出形成するとともに、背面側に２本の平行な脚片１７を突出形成したもので、突条１６の先端には丸棒状の突部１８が形成されている。突部１８はメッシュパネル４の横線１２と同じ大きさに設定されている。下部アタッチメント１３ｂも同様に形成されている。
【００２４】
側部アタッチメント１３ｃは、ベース板１５の中央部に取付溝２１を形成したもので、取付溝２１は内方に開口し、取付溝２１の溝幅はメッシュパネル４の横線１２の径と略同じかわずかに大きい程度に設定されている。また、側部アタッチメント１３ｃの取付溝２１の両側にはビスホール１９が形成されている。
【００２５】
次に、メッシュパネル４の四周を上下部アタッチメント１３ａ、１３ｂと左右の側部アタッチメント１３ｃを介して上下枠１、２と左右の縦枠３に取り付ける。この場合、まずメッシュパネル４の四周には上下部アタッチメント１３ａ、１３ｂと側部アタッチメント１３ｃとを取り付けるが、まず、図３〜図５に示されるように、メッシュパネル４の横線１２の端部を側部アタッチメント１３ｃの取付溝２１に嵌合する。そして、図２、図４及び図５に示されるように、メッシュパネル４の縦線１１の上下端部を上下部アタッチメント１３ａ（１３ｂ）の突条１６の側部に当接させ、この状態で上下部アタッチメント１３ａ（１３ｂ）と側部アタッチメント１３ｃとを方形に組む。このとき、上下部アタッチメント１３（１３ｂ）の突条１６も側部アタッチメント１３ｃの取付溝２１に嵌合する。そして、上下部アタッチメント１３ａ（１３ｂ）の上下方から挿通したビス１０を側部アタッチメント１３ｃのビスホール１９に止着することにより固定する。
【００２６】
次に、方形に組まれたアタッチメント１３の四周に上下枠１、２と縦枠３を配置し、上下部アタッチメント１３ａ、１３ｂと側部アタッチメント１３ｃとをそれぞれ上下枠１、２と縦枠３の嵌合溝６に嵌合する。上下部アタッチメント１３ａ、１３ｂと側部アタッチメント１３ｃの各ベース板１５の両端は嵌合溝６の側壁７の突片８に係合する。さらに、上下枠１、２の両端を縦枠３の上下の側面に突き当てる。このとき、図３に示されるように、縦枠３の嵌合溝６の両側壁７の突片８の端部を切除し、切除した部分の嵌合溝６の内部に上下枠１、２の両端を嵌合して中空部５に突き当てる。上下枠１、２と縦枠３とは、縦枠３から上下枠１、２のビスホール２０にビスを止着することにより固定する。縦枠３の上下端にはキャップを取り付ける。
【００２７】
上述のように、メッシュパネル４は上下左右両側ともにアタッチメント１３で包囲されているので、枠体Ａ内で変形しにくく、安定な状態で取り付けられる。
【００２８】
なお、上下部アタッチメント１３ａ（１３ｂ）の突条１６と側部アタッチメント１３ｃの取付溝２１とは上記枠体の内周方向に連続している。したがって、メッシュパネル４の横線１２は全て側部アタッチメント１３ｃの取付溝２１に嵌合され、また縦線１１の上下端部は上下部アタッチメント１３ａ、１３ｂの突条１６の側部に当接することができる。このため、上下部アタッチメントト１３ａ、１３ｂと側部アタッチメント１３ｃとを方形に組むときに突条１６を取付溝２１に嵌合させることができ、組付け強度が安定する。また、上下アタッチメントとメッシュパネルとを予め長いスパンで溶接しておき、必要に応じて所望の寸法で切断すればよいので、組付け時に突条を切断する必要がないから作業を容易かつ迅速に行うことができる。なお、メッシュパネル４の縦線１１の上下端部を上下部アタッチメント１３ａ、１３ｂの突条１６の側部に溶接等によって固定することにより、メッシュパネル４の取り付け強度はさらに向上する。
【００２９】
次に、図６〜図８は、上記枠体Ａと同じ枠体Ａ内に平板パネル４ａを装着した場合の実施形態を示すもので、平板パネル４ａの上部には上部アタッチメント２３ａが取り付けられている。平板パネル４ａの上部と側部は上部アタッチメント２３ａと側部アタッチメント２３ｃの取付溝２１に嵌合している。そして、上部アタッチメント２３ａと側部アタッチメント２３ｃは枠体Ａの上枠１と縦枠３の嵌合溝６に嵌合している。平板パネル４ａの下部も同様である。
【００３０】
また、図９〜図１１は、上記枠体Ａと同じ枠体Ａ内に格子パネル４ｂを装着した場合の実施形態を示すもので、格子パネル４ｂの上部には上部アタッチメント３３ａが取り付けられている。格子パネル４ｂの縦格子２４の上端は上部アタッチメント３３ａのベース板１５を貫通し、上部アタッチメント３３ａの固定片２６にビス止め固定されている。そして、上部アタッチメント３３ａは枠体Ａの上枠１の嵌合溝６に嵌合している。格子パネル４ｂの下部も同様である。格子パネル４ｂの側部には側部アタッチメント３３ｃが取り付けられている。横格子２５の端部は側部アタッチメント３３ｃのベース板１５を貫通している。そして、側部アタッチメント３３ｃは枠体Ａの縦枠３の嵌合溝６に嵌合している。
【００３１】
上述のように、アタッチメントの内周側をパネルの種類に応じた構造とし、外周側は共通の枠体Ａに取り付ける構造とすることができるから、メッシュパネル４を取り付けたのと同じ枠体Ａに他の種類のパネル、例えば平板パネル４ａや格子パネル４ｂを取り付ける場合、アタッチメントを平板パネル用または格子パネル用のものに代えるだけでよく、枠体Ａは共用することができる。同様にして、他のパネル用枠体と共用することもできる。
【００３２】
また、同じ構造をフェンスに採用する場合は、枠体を門扉用の枠体ではなくフェンス用の枠体にすればよく、この枠体にアタッチメントを介していろいろなパネルを取り付けることができる。
【符号の説明】
【００３３】
１  上枠
２  下枠
３  縦枠
６  嵌合溝
４  メッシュパネル
１１  縦線
１２  横線
１３ａ  上部アタッチメント
１３ｂ  下部アタッチメント
１３ｃ  側部アタッチメント
２１  取付溝
【図１】
2011021380.tif 000003
【図２】
2011021380.tif 000004
【図３】
2011021380.tif 000005
【図４】
2011021380.tif 000006
【図５】
2011021380.tif 000007
【図６】
2011021380.tif 000008
【図７】
2011021380.tif 000009
【図８】
2011021380.tif 000010
【図９】
2011021380.tif 000011
【図１０】
2011021380.tif 000012
【図１１】
2011021380.tif 000013